(57)【要約】【課題】  リサイクル品となるリサイクルベンチの多様性、発展性、面白さ等を充実させるとともに、リサイクル品としての十分な廉価性を確保し、かつ商品としての付加価値性やプレミアム性を高める。【解決手段】  スノーボードから付属品を取り外すことによりベンチ座Ｓとして使用するスノーボード板２と、上端に当該スノーボード板２を水平に載置可能な板載置部４，この板載置部４に載置したスノーボード板２を所定の位置に固定可能な少なくとも一つ以上の固定部５ａ，５ａ…（５ｂ，５ｂ）を有する固定機構部５，及び板載置部４に付設することにより当該板載置部４を所定の高さに支持する一又は二以上の脚部６ｐ…を有する脚機構部６により構成したフレームユニット３とを具備する。【選択図】  図１
2019062998.tif 000002
【特許請求の範囲】
【請求項１】
廃材をベンチ座として再利用するリサイクルベンチであって、スノーボードから付属品を取り外すことによりベンチ座として使用するスノーボード板と、上端に当該スノーボード板を水平に載置可能な板載置部，この板載置部に載置した前記スノーボード板を所定の位置に固定可能な少なくとも一つ以上の固定部を有する固定機構部，及び前記板載置部に付設することにより当該板載置部を所定の高さに支持する一又は二以上の脚部を有する脚機構部により構成したフレームユニットとを具備してなることを特徴とするリサイクルベンチ。
【請求項２】
前記固定機構部は、前記スノーボード板の平坦部位における前後方向（ただし、ベンチ座として着座した人の前方を前側とする。以下、同じ。）の両端及び左右方向の両端の位置に対応した四つの固定部を備えるとともに、当該各固定部は、前記スノーボード板の縁辺部に係止可能な係止フック部，及び板載置部に設けて操作により前記係止フック部を当該板載置部側へ引寄せ可能なフック操作部を備えて構成することを特徴とする請求項１記載のリサイクルベンチ。
【請求項３】
前記固定部は、前記フック操作部を前記スノーボード板の少なくとも前後方向へ変位させて前記係止フック部の位置を調整可能な位置調整機構を備えることを特徴とする請求項２記載のリサイクルベンチ。
【請求項４】
前記固定機構部は、前記スノーボード板の平坦部位における左右方向の両端の位置に対応した二つの固定部を備えるとともに、当該各固定部は、前記スノーボード板の上面部と下面部間を挟む自在に配した上挟持部及び固定した下挟持部を設け、かつ前記上挟持部と前記下挟持部間の隙間を変更可能な上挟持操作部を備えて構成することを特徴とする請求項１記載のリサイクルベンチ。
【請求項５】
前記脚機構部は，前記板載置部の左右方向の両端の位置に回動可能に取付けた一対の脚部を、前記スノーボード板の下面部に対して下方に突出させる使用位置，又は各脚部を当該使用位置から回動させることにより前記スノーボード板の下面部に対して重なる格納位置へ切換変位可能に構成した折畳機構を備えることを特徴とする請求項１記載のリサイクルベンチ。
【発明の詳細な説明】
【技術分野】
【０００１】
本発明は、廃材をベンチ座として再利用するリサイクルベンチに関する。
【背景技術】
【０００２】
近時、地球環境を保護する観点から資源の再利用促進が分野を問わずに重要な課題となっており、再処理や再加工により製造された部品や部材を用いたリサイクル商品をはじめ、一部をそのまま再利用する形態のリサイクル商品など、様々なリサイクル商品が普及するに至っている。
【０００３】
従来、この種のリサイクル商品であって、特に、ベンチを対象としたリサイクルベンチとしては、特許文献１により開示される木のモザイクベンチ及び特許文献２により開示されるボトルチェアーが知られている。
【０００４】
前者の木のモザイクベンチは、石と木の組み合わせにより丸太ベンチを構成するとともに、座の部分に、１５〔ｍｍ〕程度の切込みにより、モザイク張りの埋め込みを可能にした張り面を設け、この張り面に、建設廃材として出る石，タイル，煉瓦，瓦等を砕き、色調を整えたリサイクル材を張り付けて構成したものである。
【０００５】
また、後者のボトルチェアーは、コストパフォーマンスに優れ、活用範囲のスケールが広く、環境面のリサイクルが容易となるボトルチェアーの提供を目的としたものであり、具体的には、あらかじめボトルキャップを構造に取り込んだ再生プラスチックの座面を生産し、空いたペットボトルをねじ込み接合することで、容易に椅子として利用できるようにするとともに、正方形、三角形、扇形、丸形等々多くのバリエーションを可能にし、さらに、座面どうしをつなぎ合わせることで、ベンチ型等も容易に組立てることができるように構成したものである。
【先行技術文献】
【特許文献】
【０００６】
【特許文献１】特開２００６−０５６０８３号公報
【特許文献２】特開２０１０−１６７２２７号公報
【発明の概要】
【発明が解決しようとする課題】
【０００７】
しかし、上述した特許文献に開示されたリサイクルベンチをはじめ、従来のリサイクルベンチは、次のような解決すべき課題も存在した。
【０００８】
第一に、いずれの場合も、特定の廃材を再利用し、廃材のリサイクルという観点からはその目的を達成しているものの、廃材における元の原形やデザイン等まで再利用するものにはなっていない。即ち、リサイクル品の多様性、面白さ、発展性等を充実させるために、廃材をリサイクル品として最大限活かしきるという観点からは必ずしも十分であるとは言えない。
【０００９】
第二に、廃材の全部又は一部をそのまま利用するとしても、廃材の粉砕やリサイクル品に組込むための製造上の追加工程などが必要となり、廃材に対して直接的に又は間接的に手を加える必要がある。したがって、リサイクル処理過程における製造コストの上昇が無視できず、リサイクル品としての十分な廉価性を確保しにくいとともに、コスト上昇に見合う商品性等を確保することも容易でない。
【００１０】
本発明は、このような背景技術に存在する課題を解決したリサイクルベンチの提供を目的とするものである。
【課題を解決するための手段】
【００１１】
本発明は、上述した課題を解決するため、廃材をベンチ座Ｓとして再利用するリサイクルベンチ１であって、スノーボードから付属品を取り外すことによりベンチ座Ｓとして使用するスノーボード板２と、上端に当該スノーボード板２を水平に載置可能な板載置部４，この板載置部４に載置したスノーボード板２を所定の位置に固定可能な少なくとも一つ以上の固定部５ａ，５ａ…（５ｂ，５ｂ）を有する固定機構部５，及び板載置部４に付設することにより当該板載置部４を所定の高さに支持する一又は二以上の脚部６ｐ…を有する脚機構部６により構成したフレームユニット３とを具備してなることを特徴とする。
【００１２】
この場合、発明の好適な態様により、固定機構部５を構成するに際しては、スノーボード板２の平坦部位２ｈにおける前後方向Ｆｆの両端及び左右方向Ｆｐの両端の位置に対応した四つの固定部５ａ…を設けるとともに、各固定部５ａ…は、スノーボード板２の縁辺部２ｒに係止可能な係止フック部１１…，及び板載置部４に設けて操作により係止フック部１１…を当該板載置部４側へ引寄せ可能なフック操作部１２…を設けて構成できる。なお、方向において、前後方向Ｆｆは、ベンチ座Ｓとして着座した人の前方を前側と定義する（以下、同じ）。また、固定部５ａ…には、フック操作部１２…をスノーボード板２の少なくとも前後方向Ｆｆへ変位させて係止フック部１１…の位置を調整可能な位置調整機構１３…を設けることができる。その他の固定機構部５としては、スノーボード板２の平坦部位２ｈにおける左右方向Ｆｐの両端の位置に対応した二つの固定部５ｂ，５ｂを設けるとともに、各固定部５ｂ…は、スノーボード板２の上面部２ｕと下面部２ｄ間を挟む自在に配した上挟持部１５…及び固定した下挟持部１６…を設け、かつ上挟持部１５…と下挟持部１６…間の隙間を変更可能な上挟持操作部１７…を設けて構成できる。一方、脚機構部６には、板載置部４の左右方向Ｆｐの両端の位置に回動可能に取付けた一対の脚部６ｐ…を、スノーボード板２の下面部２ｄに対して下方に突出させる使用位置Ｘｕ，又は各脚部６ｐ…を当該使用位置Ｘｕから回動させることによりスノーボード板２の下面部２ｄに対して重なる格納位置Ｘｓへ切換変位可能に構成した折畳機構１９を設けることができる。
【発明の効果】
【００１３】
このような構成を有する本発明に係るリサイクルベンチ１によれば、次のような顕著な効果を奏する。
【００１４】
（１）  スノーボードから付属品を取り外したスノーボード板２を利用して構成するため、スノーボード板２をそのままベンチ座Ｓとして使用できるとともに、スノーボード板２の安定感のある形状や表面に施された趣味性の高いデザインもそのままベンチ座Ｓの形状及びデザインとして再利用できる。即ち、形状及びデザインを含むスノーボード板２をそのままベンチ座Ｓとして最大限活かしきることができる。しかも、異なるデザインを含む様々なスノーボード板２…を選択又は交換可能にできるため、リサイクル品となるリサイクルベンチ１の多様性，面白さ及び発展性を高めることができる。
【００１５】
（２）  スノーボード板２に対して、特に追加的な加工等を施す必要がなく、そのままベンチ座Ｓとして使用できるため、リサイクル処理過程における製造コストがほとんど発生しない。したがって、リサイクル品としての十分な廉価性を確保できる。しかも、形状性及びデザイン性に優れたスノーボード板２を利用できるため、商品としての付加価値性及びプレミアム性も高めることができる。
【００１６】
（３）  好適な態様により、固定機構部５を構成するに際し、スノーボード板２の平坦部位２ｈにおける前後方向Ｆｆの両端及び左右方向Ｆｐの両端の位置に対応した四つの固定部５ａ…を設けるとともに、各固定部５ａ…は、スノーボード板２の縁辺部２ｒに係止可能な係止フック部１１…，及び板載置部４に設けて操作により係止フック部１１…を当該板載置部４側へ引寄せ可能なフック操作部１２…を設けて構成すれば、スノーボード板２に対して、点支持構造を用いた四個所の位置で固定できるため、スノーボード板２に対する確実な固定を行うことができることに加え、ベンチ座Ｓの上面側における各固定部５ａ…の突出部分を最小限にすることができ、外観性を確保する観点から有利な形態として実施できる。
【００１７】
（４）  好適な態様により、固定部５ａ…に、フック操作部１２…をスノーボード板２の少なくとも前後方向Ｆｆへ変位させて係止フック部１１…の位置を調整可能な位置調整機構１３…を設ければ、板載置部４に対するスノーボード板２の取付け又は取外しを容易に行うことができるとともに、使用するスノーボード板２に対して固定部５ａ…の位置を適合させることができるため、無用な隙間等の発生を回避し、更なる外観性の向上及び固定の確実性向上に寄与できる。
【００１８】
（５）  好適な態様により、固定機構部５を構成するに際し、スノーボード板２の平坦部位２ｈにおける左右方向Ｆｐの両端の位置に対応した二つの固定部５ｂ，５ｂを設けるとともに、各固定部５ｂ…は、スノーボード板２の上面部２ｕと下面部２ｄ間を挟む自在に配した上挟持部１５…及び固定した下挟持部１６…を設け、かつ上挟持部１５…と下挟持部１６…間の隙間を変更可能な上挟持操作部１７…を設けて構成すれば、スノーボード板２に対して、線支持構造を用いた二個所の位置で固定できるため、スノーボード板２に対する確実な固定を行うことができることに加え、各固定部５ｂ…の部品点数を削減でき、低コスト性及び取扱容易性を確保する観点から有利な形態として実施できる。
【００１９】
（６）  好適な態様により、脚機構部６を構成するに際し、板載置部４の左右方向Ｆｐの両端の位置に回動可能に取付けた一対の脚部６ｐ…を、スノーボード板２の下面部２ｄに対して下方に突出させる使用位置Ｘｕ，又は各脚部６ｐ…を当該使用位置Ｘｕから回動させることによりスノーボード板２の下面部２ｄに対して重なる格納位置Ｘｓへ切換変位可能に構成した折畳機構１９を設ければ、非使用時には、折畳んだ状態で携帯及び保管等が可能になるため、携帯性及び保管性等に優れたリサイクルベンチ１として提供できるとともに、屋外及び屋内を含めた様々な場所において手軽に使用することができる。
【図面の簡単な説明】
【００２０】
【図１】本発明の好適実施形態に係るリサイクルベンチの斜視図、
【図２】同リサイクルベンチのスノーボード板を仮想線で示した平面図、
【図３】同リサイクルベンチの一部抽出（一部に断面）の拡大図を含む側面図、
【図４】同リサイクルベンチの一部抽出の拡大図及び断面図を含む正面図、
【図５】同リサイクルベンチの脚機構部の構成を含む折畳方法説明図、
【図６】同リサイクルベンチのスノーボード板の取付方法説明図、
【図７】本発明の変更実施形態に係るリサイクルベンチの側面図、
【発明を実施するための形態】
【００２１】
次に、本発明に係る好適実施形態を挙げ、図面に基づき詳細に説明する。
【００２２】
まず、本実施形態に係るリサイクルベンチ１の構成について、図１〜図６を参照して具体的に説明する。
【００２３】
リサイクルベンチ１は、図１に示すように、大別して、スノーボード板２とフレームユニット３により構成する
【００２４】
スノーボード板２は、ウィンタースポーツに使用するスノーボードから、ビンディング等の金具類を含む付属品を取り外した後に残る板部分のみを用いる。この場合、スノーボードは、使用後における廃棄予定のスノーボードや中古品のスノーボード等を用いるとともに、使用するスノーボード板２は、加工や塗装等の追加的な処理は基本的に不要であり、付属品を取り外した板をそのまま利用することができる。なお、廃棄予定のスノーボード等を対象とするため、必要により、汚れや傷等の修正を施してもよいし、用途や設置場所等を考慮して一部を切断するなどしてもよい。
【００２５】
スノーボード板２は、リサイクルベンチ１のベンチ座Ｓとして全体をそのまま使用することができる。このようなスノーボード板２の場合、長手方向の両端側が上方へやや湾曲した形状を有するため、実質的なベンチ座を構成する平坦部位２ｈとこの両端側に存在する特異形状の組合わせとなる。したがって、ベンチ座Ｓとして見た場合、見た目の安定感を醸し出す観点から最適な形状（図６参照）になるとともに、趣味性が高いことから表面に付されるデザインも優れたものが多く、ベンチ座Ｓのデザインとしてそのまま利用しても面白さや趣味性を醸し出す観点から最適である。即ち、スノーボード板２の形状及びデザインは、リサイクルベンチ１の形状及びデザインとしてそのまま活かしきることができる特有のメリットがある。
【００２６】
一方、フレームユニット３は、図４等に示すように、スノーボード板２に対して別途製作する。フレームユニット３は、大きく分けて、板載置部４，固定機構部５及び脚機構部６を備え、これら三つの構造部により一体的に構成する。
【００２７】
板載置部４は、スノーボード板２を水平に載置可能に構成する。例示の場合、図２に示すように、一本の中央フレームメンバ２１と一対の端フレームメンバ２２，２２の組合わせにより構成する。各フレームメンバ２１，２２…は、金属素材等により形成された断面が矩形枠（図４参照）となる角筒材をそれぞれ対応する長さに切断することにより容易に得ることができる。
【００２８】
中央フレームメンバ２１は、ベンチ座Ｓにおいて、前後方向Ｆｆの中央位置に、長手方向を左右方向Ｆｐに沿って配する。中央フレームメンバ２１は、全長を、着座できる有効長さを考慮して選定する。具体的には、スノーボード板２の場合、前述したように、左右方向Ｆｐの両端側が上方へやや湾曲した形状を有するため、この両端側を避けた中間部における平坦部位２ｈの長さを中央フレームメンバ２１の長さとして選定できる。また、端フレームメンバ２２，２２は、図２に示すように、中央フレームメンバ２１の両端にそれぞれ溶接等により固定する。この場合、各端フレームメンバ２２，２２の中央位置をフレームメンバ２１に対して直角に配する。
【００２９】
固定機構部５は、図３及び図４に示すように、上述した板載置部４に載置したスノーボード板２を所定の位置に固定可能な四つの固定部５ａ…、即ち、スノーボード板２の平坦部位２ｈにおける前後方向Ｆｆの両端及び左右方向Ｆｐの両端の位置に対応して配した四つの固定部５ａ…を備える。
【００３０】
一つの固定部５ａは、Ｊ形に形成した係止フック部１１及びこの係止フック部１１を操作するフック操作部１２を備えて構成する。係止フック部１１は、所定の厚さを有する金属プレートの折曲又は硬質プラスチックによる成形等により容易に製作できる。この係止フック部１１の横幅寸法は、図４に示すように、端フレームメンバ２２の内部空間の横幅にほぼ一致させることが望ましい。一方、フック操作部１２は、図３に示すように、係止フック部１１における長片側の下面に一端（上端）を溶接等により固定し、かつ面直角方向（下方）に突出させたボルト部１２ｓと、端フレームメンバ２２の端部開口付近における下板部２２ｄに形成した前後方向Ｆｆに長い長孔部１２ｇと、係止フック部１１の長片側及びボルト部１２ｓを端フレームメンバ２２の端部開口から内部空間に収容し、長孔部１２ｇを挿通させて外部（下方）に突出させたボルト部１２ｓの他端側に螺合したハンドル付ナット部１２ｈとを備える。これにより、係止フック部１１は、図３に仮想線で示すように、スノーボード板２の縁辺部２ｒに係止可能になるとともに、フック操作部１２は、板載置部４に設け、かつ操作により係止フック部１１を当該板載置部４側へ引寄せ可能になる。
【００３１】
また、長孔部１２ｇは、フック操作部１２に対して、少なくとも前後方向Ｆｆの変位を許容するため、係止フック部１１の位置を調整可能な位置調整機構１３を構成（兼用）する。したがって、このような位置調整機構１３を設ければ、板載置部４に対するスノーボード板２の取付け又は取外しを容易に行うことができるとともに、使用するスノーボード板２に対して固定部５ａ…の位置を適合させることができるため、無用な隙間等の発生を回避し、更なる外観性の向上及び固定の確実性向上に寄与できる。
【００３２】
以上、一つの固定部５ａについて説明したが、他の三つの固定部５ａ…についても同様に構成することができる。また、前後方向Ｆｆの両側に配する固定部５ａ…はそれぞれ対称構成となる。したがって、このような形態の固定機構部５、即ち、固定部５ａ…を設ければ、スノーボード板２に対して、点支持構造を用いた四個所の位置で固定できるため、スノーボード板２に対する確実な固定を行うことができることに加え、ベンチ座Ｓの上面側における各固定部５ａ…の突出部分を最小限にすることができ、外観性を確保する観点から有利な形態として実施できる利点がある。
【００３３】
脚機構部６は、板載置部４に付設することにより当該板載置部４を所定の高さに支持する少なくとも一以上（例示は、左右一対の二つ）の脚部６ｐ…を備えて構成する。
【００３４】
一つの脚部６ｐは、図３に示すように、金属素材等による丸パイプ材を用いた一対の脚ポール３１，３１を備え、この脚ポール３１と３１間の中間位置を、同丸パイプ材を用いた連結ポール３２により連結する。この連結は溶接等により固着することにより一体化する。また、端フレームメンバ２２の両端には、取付プレート３３，３３をそれぞれ溶接等により固定し、脚ポール３１，３１の上端部は、リベット部材等を用いて構成できる回動結合部３４，３４を介し当該取付プレート３３，３３に連結するとともに、脚ポール３１，３１の下端開口には、図４に示すように、下端を球形等に形成したゴムキャップ３５，３５を挿入して固定する。
【００３５】
さらに、脚部６ｐには、図５に示すリンク機構３６を備え、このリンク機構３６により、連結ポール３２の中央位置と前述した板載置部４を構成する中央フレームメンバ２１の一方の側面（横面）間を連結する。具体的には、リンク機構３６を、回動結合部３６ｒを介して一端部同士を連結した第一リンク３６ａと第二リンク３６ｂにより構成するとともに、連結ポール３２の中央位置に、溶接等により連結プレート３７ｓを固定する。そして、下側に位置する第一リンク３６ａの他端部（下端部）と連結プレート３７ｓを、リベット部材等の回動結合部３７を介して連結するとともに、第二リンク３６ｂの他端部（上端部）と中央フレームメンバ２１の一方の側面（横面）を、リベット部材等の回動結合部３８を介して連結する。この場合、第一リンク３６ａの回動結合部３６ｒ側の端部は、一定長さ延長し、先端に、第二リンク３６ｂに係止するストッパ片３６ｓを折曲形成し、第一リンク３６ａと第二リンク３６ｂの回動変位を規制する。
【００３６】
以上、一方の脚部６ｐの構成について説明したが、他方の脚部６ｐの構成も、左右対称となる点を除いて、一方の脚部６ｐと同様に構成することができる。脚機構部６は、このような構成を備えるため、一対の脚部６ｐ…は、板載置部４に回動可能に取付けられるとともに、各脚部６ｐ…を、スノーボード板２の下面部２ｄに対して下方に突出させる使用位置Ｘｕ，又は各脚部６ｐ…を当該使用位置Ｘｕから回動させることによりスノーボード板２の下面部２ｄに対して重なる格納位置Ｘｓへ切換変位可能となる折畳機構１９を構成（兼用）する。したがって、このような折畳機構１９を備える（兼用する）脚機構部６を設ければ、非使用時には、折畳んだ状態で携帯及び保管等が可能になるため、携帯性及び保管性等に優れたリサイクルベンチ１として提供できるとともに、屋外及び屋内を含めた様々な場所において手軽に使用できる利点がある。
【００３７】
次に、本実施形態に係るリサイクルベンチ１の組立方法，使用方法及び各部の機能について、図１〜図６を参照して説明する。
【００３８】
リサイクルベンチ１は、スノーボード板２とフレームユニット３により構成するため、スノーボード板２は、前述したように、使用後における廃棄予定のスノーボードや中古品のスノーボード等を収集し、スノーボードから、ビンディング等の付属品を取り外す。これにより、使用するスノーボード板２を得ることができる。なお、付属品を取り外したスノーボード板２は、基本的にそのまま使用できるが、必要により、汚れや傷等の修正を施す。また、使用できるスノーボード板２は、様々なデザインを有する複数のスノーボード板２として用意することが望ましい。これにより、使用する際には、様々なデザインを有する複数のスノーボード板２…の中から、好みや使用場所等に応じて任意のスノーボード板２を選択することができる。一方、別体となるフレームユニット３は、予め、工場等において、ユニットとして生産する。
【００３９】
したがって、スノーボード板２とフレームユニット３を組立てる際には、まず、フレームユニット３を用意し、図６に示すように、フレームユニット３に備える四個所の固定部５ａ…を構成するフック操作部１２…におけるハンドル付ナット部１２ｈ…を回し操作することによりネジ部１２ｓに対する締付けを緩めるとともに、相対向する係止フック部１１…同士を外側に広げた状態にする。
【００４０】
そして、選択したスノーボード板２を、図６に示すように、フレームユニット３に対して上から載置する。即ち、矢印Ｆｃ方向から、フレームユニット３における板載置部４の上に載置する。これにより、スノーボード板２は、図６中、仮想線で示すスノーボード板２の位置にセットされるため、定位置になるように位置を調節した後、四個所の固定部５ａ…における係止フック部１１…を一つずつ前後方向Ｆｆに押し込み、スノーボード板２の縁辺部２ｒ…に当接させる。当接させたならフック操作部１２…におけるハンドル付ナット部１２ｈ…を回し操作し、ネジ部１２ｓによる締付けを行う。これにより、係止フック部１１…の上側に位置する短片側は、下方、即ち、スノーボード板２を押え付ける方向に変位し、スノーボード板２を板載置部４と係止フック部１１…間に固定することができる。このように、サイクルベンチ１は容易に得ることができる。得られたリサイクルベンチ１を図１に示す。
【００４１】
なお、このようなリサイクルベンチ１は、フレームユニット３とスノーボード板２を組合わせた商品として構成してもよいし、フレームユニット３のみを商品として販売することもできる。したがって、この場合、スノーボードの所有者は、フレームユニット３のみを購入し、自分が所有する使用済のスノーボードから得たスノーボード板２を組合わせることができる。
【００４２】
一方、このリサイクルベンチ１を使用するには、フレームユニット３の一対の脚部６ｐ，６ｐをそれぞれ広げた位置にセットする。即ち、図５に実線で示すリンク機構３６…のように、第一リンク３６ａ…と第二リンク３６ｂ…を直線状に広げた位置にすれば、各脚部６ｐ…はスノーボード板２の下面部２ｄに対して下方に突出した使用位置Ｘｕにセットできる。この際、ストッパ片３６ｓ…は第二リンク３６ｂ…に当接し、回動変位が規制される。なお、使用位置Ｘｕにおいて、例えば、ストッパ片３６ｓ…と第二リンク３６ｂ…間に、凹凸によるクリック係合機構などを設ければ、この凹凸が係合した位置で仮固定させることができるため、一対の脚部６ｐ，６ｐを使用位置Ｘｕに安定に保持することができる。
【００４３】
使用位置Ｘｕにセットしたリサイクルベンチ１は、必要な場所に置くことにより、一般的なベンチと同様、スノーボード板２の上に腰を降ろして着座することができるとともに、屋内又は屋外のいずれの場所でも使用することができる。特に、屋外の休憩場所等において、複数のリサイクルベンチ１を配置すれば、スノーボード板２の固有のデザインに基づくカラフル感や華やかさを醸し出すことができるメリットがある。
【００４４】
他方、使用しないリサイクルベンチ１は折り畳むことにより、保管及び携帯することができる。折り畳む際には、図５に示すように、リンク機構３６の第一リンク３６ａを、回動結合部３６ｒを支点に第二リンク３６ｂに対して矢印Ｆ１方向へ相対的に回動変位させ、リンク機構３６を屈曲させればよい。これにより、第一リンク３６ａは、回動結合部３７を支点に矢印Ｆ２方向へ相対的に回動変位し、かつ第二リンク３６ｂは、回動結合部３８を支点に矢印Ｆ３方向へ相対的に回動変位する。この結果、リンク機構３６は、図５に仮想線で示すように、中間位置Ｘｍを経ることにより格納位置Ｘｓまで変位させることができる。この格納位置Ｘｓでは、各脚部６ｐ…（脚ポール３１…）は、スノーボード板２の下面部２ｄに対して重なる状態となる。
【００４５】
さらに、必要に応じて、固定部５ａ…を緩める状態に操作すれば、フレームユニット３からスノーボード板２を離脱させ、スノーボード板２とフレームユニット３を分離させることもできる。したがって、再使用する際には、他のスノーボード板２とフレームユニット３を組合わせることも容易に行うことができる。
【００４６】
このように、本実施形態に係るリサイクルベンチ１は、基本構成として、廃材をベンチ座Ｓとして再利用するリサイクルベンチ１であって、スノーボードから付属品を取り外すことによりベンチ座Ｓとして使用するスノーボード板２と、上端に当該スノーボード板２を水平に載置可能な板載置部４，この板載置部４に載置したスノーボード板２を所定の位置に固定可能な少なくとも一つ以上の固定部５ａ，５ａ…を有する固定機構部５，及び板載置部４に付設することにより当該板載置部４を所定の高さに支持する一又は二以上の脚部６ｐ…を有する脚機構部６により構成したフレームユニット３とを具備してなるため、スノーボード板２をそのままベンチ座Ｓとして使用できるとともに、スノーボード板２の安定感のある形状や表面に施された趣味性の高いデザインもそのままベンチ座Ｓの形状及びデザインとして再利用できる。即ち、形状及びデザインを含むスノーボード板２をそのままベンチ座Ｓとして最大限活かしきることができる。しかも、異なるデザインを含む様々なスノーボード板２…を選択又は交換可能にできるため、リサイクル品となるリサイクルベンチ１の多様性，面白さ及び発展性を高めることができる。また、スノーボード板２に対して、特に追加的な加工等を施す必要がなく、そのままベンチ座Ｓとして使用できるため、リサイクル処理過程における製造コストがほとんど発生しない。したがって、リサイクル品としての十分な廉価性を確保できる。しかも、形状性及びデザイン性に優れたスノーボード板２を利用できるため、商品としての付加価値性及びプレミアム性も高めることができる。
【００４７】
次に、本発明の変更実施形態に係るリサイクルベンチ１について、図７を参照して説明する。
【００４８】
図７に示すリサイクルベンチ１は、図１〜図６の実施形態と比較した場合、リサイクルベンチ１を構成する基本形態、即ち、スノーボードから付属品を取り外すことによりベンチ座Ｓとして使用するスノーボード板２と、上端に当該スノーボード板２を水平に載置可能な板載置部４，この板載置部４に載置したスノーボード板２を所定の位置に固定可能な固定機構部５，及び板載置部４に付設することにより当該板載置部４を所定の高さに支持する一又は二以上の脚部６ｐ…を有する脚機構部６により構成したフレームユニット３とを備える基本形態を含む点は同一となるが、各部における細部の形態を変更した点が異なる。
【００４９】
具体的に、まず、板載置部４は、固定機構部５に兼用させた。即ち、図７の変更実施形態では、別途の独立した板載置部４は使用せず、後述する固定機構部５を構成する一方の挟持部１６…を板載置部４に兼用させるようにした。勿論、図７の場合であっても、図１〜図６で示した板載置部４と同様の構成を用いてもよい。
【００５０】
また、固定機構部５は、スノーボード板２の平坦部位２ｈにおける左右方向Ｆｐの両端の位置に対応した二つの固定部５ｂ，５ｂを備える。
【００５１】
一つの固定部５ｂ（他の固定部５ｂも同じ）は、図７に示すように、スノーボード板２の上面部２ｕと下面部２ｄ間を挟む自在に配した上挟持部１５及び固定した下挟持部１６を有する。例示の場合、上述したように、下挟持部１６は板載置部４を兼用する。さらに、固定機構部５には、上挟持部１５と下挟持部１６間の隙間を変更可能な上挟持操作部１７を備える。
【００５２】
上挟持部１５と下挟持部１６は、一定の厚さ及び一定の幅を有する金属素材等を用いた細長いプレート材により形成することができる。また、例示の場合、上挟持操作部１７は二つ用意し、上挟持部１５の前後方向Ｆｆの両端付近にそれぞれ設けた。一方の上挟持操作部１７（他方の上挟持操作部１７も同じ）は、上挟持部１５の下面に、一端を溶接等により固定し、かつ他端側を面直角方向（下方）に突出させたボルト部１２ｓと、下挟持部１６に形成し、ボルト部１２ｓの下端側が挿通する挿通孔と、この挿通孔に挿通して下挟持部１６の下方に突出したボルト部１２ｓの他端側に螺合したハンドル付ナット部１２ｈとを備える。これにより、上挟持操作部１７は、ハンドル付ナット部１２ｈの操作により、上挟持部１５と下挟持部１６間の隙間を変更する機能を備える。
【００５３】
したがって、固定機構部５を構成するに際し、このような固定部５ｂ，５ｂを用いて構成すれば、スノーボード板２に対して、線支持構造を用いた二個所の位置で固定できるため、スノーボード板２に対する確実な固定を行うことができることに加え、各固定部５ｂ…の部品点数を削減でき、低コスト性及び取扱容易性を確保する観点から有利な形態として実施できる利点がある。
【００５４】
さらに、脚機構部６は、下挟持部１６…（板載置部４）に付設することにより板載置部４（下挟持部１６…）を所定の高さに支持する少なくとも一以上（例示は、左右一対の二つ）の脚部６ｐ…を備える。一つの脚部６ｐは、図７に示すように、金属素材等による丸パイプ材を用いて横Ｕ状に湾曲形成した一対の脚ポール３１，３１を用意し、それぞれ１８０〔°〕反対方向に向けるとともに、中間位置を溶接等により固着して構成した。これにより、上端には、前後方向Ｆｆに離間した一対のハイプ水平部が設けられるため、このパイプ水平部を、回動結合部３４，３４を介して下挟持部１６の下端両側に溶接等により結合するとともに、下端には、前後方向Ｆｆに離間した一対のパイプ水平部が設けられるため、先端部の外周にゴムキャップ３５，３５を装着した。なお、３４ｓ，３４ｓは、一対の脚ポール３１，３１における上端側の先端部と協動し、各脚部６ｐ…をスノーボード板２の下面部２ｄに対して下方に突出させる使用位置Ｘｕ（図示せず）と各脚部６ｐ…を当該使用位置Ｘｕから回動させることにより、スノーボード板２の下面部２ｄに対して重なる格納位置Ｘｓ（図示せず）において仮固定するクリック機構を示す。
【００５５】
このように、図７のフレームユニット３は、単一ユニットとして構成するものではなく、固定部５ｂと脚部６ｐを一体に有する単一のサブユニットを二つ用いることにより、一つのフレームユニット３を構成する。したがって、使用する際には、二つのサブユニットを用意し、スノーボード板２の左右方向Ｆｐの両端位置にそれぞれ取付けることにより使用することができる。
【００５６】
このように、リサイクルベンチ１は、基本構成として、板載置部４，固定機構部５及び脚機構部６を備えるが、各部における細部の具体的構成は、様々な形態により実施することができる。その他、図７において、図１〜図６と同一の機能を有する部品又は部材等を含む部分については、同一符号を付して、その構成を明確にするとともに、その詳細な説明は省略する。
【００５７】
以上、好適実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００５８】
例えば、実施形態は、ベンチ座Ｓとしてスノーボード板２の全部を使用した場合を示したが、用途や使用場所等に応じて、スノーボード板２の一部を切断して使用してもよい。また、固定機構部５に、四つの固定部５ａ…を用いた例と、二つの固定部５ｂ…を用いた例を挙げたが、固定部５ａ…，５ｂ…の形態は、例示以外の各種形態により実施できるとともに、一つ以上の任意の数量により実施可能である。したがって、各固定部５ａ…（又は５ｂ…）は、必ずしも同一構成であることを要しない。即ち、一又は二以上の固定部５ａ…（又は５ｂ…）を構成するに際し、例えば、一つの固定部５ａ（又は５ｂ）のみを固定ボルト等を用いた本来の固定部として構成し、他の固定部５ａ（又は５ｂ）は凹凸等の係止機構により構成してもよい。さらに、固定機構部５として、ボルト部１２ｓの緩め又は締付けにより固定する場合を説明したが、その他、スノーボード板２の下面部２ｄに鉄板等の磁性板を固定するとともに、板載置部４にマグネット（永久磁石）を固定し、マグネットと磁性板の吸着作用により固定してもよく、各種固定手段を適用可能である。一方、例示の脚機構部６は、一対の脚部６ｐ，６ｐを用いた場合を示したが、その他、４本の脚部６ｐ…をそれぞれ左右前後の位置に独立した機構として配設してもよいし、フレーム材により一つの直方体形状により形成した一つの脚部６ｐであってもよいなど、脚部６ｐ…の数量は、一又は二以上の任意の数量により実施可能である。なお、折畳機構１９は設けることが望ましいが、必ずしも必須の構成要素になるものではない。
【産業上の利用可能性】
【００５９】
本発明は、廃材をベンチ座として再利用することにより構成する各種のリサイクルベンチに利用することができる。
【符号の説明】
【００６０】
１：リサイクルベンチ，２：スノーボード板，２ｈ：スノーボード板の平坦部位，２ｒ…：スノーボード板の縁辺部，２ｕ：スノーボード板の上面部，２ｄ：スノーボード板の下面部，３：フレームユニット，４：板載置部，５：固定機構部，５ａ…：固定部，５ｂ：固定部，６：脚機構部，６ｐ…：脚部，１１：係止フック部，１２…：フック操作部，１３…：位置調整機構，１５…：上挟持部，１６…：下挟持部，１７：上挟持操作部，１９：折畳機構，Ｓ：ベンチ座，Ｆｆ：前後方向，Ｆｐ：左右方向，Ｘｕ：使用位置，Ｘｓ：格納位置
【図１】
2019062998.tif 000003
【図２】
2019062998.tif 000004
【図３】
2019062998.tif 000005
【図４】
2019062998.tif 000006
【図５】
2019062998.tif 000007
【図６】
2019062998.tif 000008
【図７】
2019062998.tif 000009